(57)【要約】【課題】原稿作成の段階で、素材等のデータのカラースペースを出力予定のカラースペースと比較して出力予定のカラースペースに変換し、それを用いた原稿作成が可能である画像形成システムおよび画像形成管理装置および画像形成管理プログラムを提供する。【解決手段】クライアント１０からアップロードされた素材５、テンプレート６の色空間と、出力条件で設定された色空間とが合致しない場合、素材５、テンプレート６を色空間変換して記憶格納し、原稿作成に利用する。【選択図】図１
2012231243.tif 000002
【特許請求の範囲】
【請求項１】
素材或いはテンプレートを含む原稿材料を用いて作成される原稿の出力条件を受け付ける出力条件受付手段と、
前記原稿材料を受け付ける原稿材料受付手段と、
前記出力条件受付手段で受け付けた前記出力条件で設定された色空間と前記原稿材料受付手段で受け付けた前記原稿材料の色空間とが合致するか否かを確認する確認手段と、
前記確認手段で合致しないと確認された場合には、該原稿材料の色空間を該出力条件で設定された色空間に変換する色空間変換手段と、
前記色空間変換手段で色空間が変換された原稿材料を記憶する記憶手段と、
前記記憶手段で記憶された前記原稿材料を用いて出力する原稿を作成する原稿作成手段と
を具備する画像形成システム。
【請求項２】
前記確認手段で合致しないと確認された場合には警告を表示する警告表示手段を
更に具備し、
前記記憶手段は、
前記確認手段で合致すると確認された場合には前記原稿材料の色空間を変換せずに前記原稿材料を記憶する
請求項１に記載の画像形成システム。
【請求項３】
前記色空間変換手段は、
前記確認手段で合致しないと確認された場合には、前記原稿材料の色空間を前記出力条件で設定された色空間に変換するための色変換係数を作成して変換する
請求項１または２に記載の画像形成システム。
【請求項４】
前記色空間変換手段は、
前記確認手段で合致しないと確認された場合には、前記原稿材料の色空間を前記出力条件で設定された色空間に変換せずに、該原稿材料の色空間を該出力条件で設定された色空間に変換するための色変換係数を作成する
請求項１乃至３のいずれかに記載の画像形成システム。
【請求項５】
前記色空間変換手段は、
前記確認手段で合致しないと確認された場合には、前記原稿材料の色空間を前記出力条件で設定された色空間に変換せずに、前記出力条件で設定された色空間を操作者に指示する
請求項１乃至４のいずれかに記載の画像形成システム。
【請求項６】
前記色空間変換手段は、
前記原稿材料の色空間を前記出力条件で設定された色空間に変換すること、或いは、前記原稿材料の色空間を前記出力条件で設定された色空間に変換せずに変換するための色変換係数を作成すること、或いは、前記原稿材料の色空間を前記出力条件で設定された色空間に変換せずに出力条件で設定された色空間を操作者に指示すること、のいずれかを前記出力条件に設定される出力先に対応して行う
請求項１乃至５のいずれかに記載の画像形成システム。
【請求項７】
前記記憶手段は、
前記出力条件受付手段で受け付けた前記出力条件を前記原稿材料に付加して記憶する
請求項１乃至６のいずれかに記載の画像形成システム。
【請求項８】
前記記憶手段は、
前記色空間変換手段が行う色空間の変換に関する情報を、前記原稿材料に付加して記憶する
請求項１乃至７のいずれかに記載の画像形成システム。
【請求項９】
前記色空間の変換に関する情報は、
所定の色が前記色空間変換手段で変換された変換後の値を含む
請求項８記載の画像形成システム。
【請求項１０】
前記色空間変換手段で変換されたデータの変換前のデータを前記色空間の変換に関する情報に基づき取得する
請求項９記載の画像形成システム。
【請求項１１】
印刷指示を受け付ける印刷指示受付手段と、
前記原稿材料或いは前記原稿の印刷データに前記出力条件受付手段で受け付けた前記出力条件で設定された色空間の情報を付加して、該印刷データを前記印刷指示受付手段で受け付けた印刷装置へ送信する送信手段と
を更に具備し、
前記印刷装置は、
前記送信手段で送信された印刷データに付加された情報が示す前記色空間に自装置が対応していない場合には、操作者に警告を表示する警告表示手段を
備える
請求項１乃至１０のいずれかに記載の画像形成システム。
【請求項１２】
前記警告表示手段は、
前記送信手段を具備する印刷管理装置で警告情報が表示されるように警告情報を該印刷管理装置に送信する
請求項１１に記載の画像形成システム。
【請求項１３】
印刷指示を受け付ける印刷指示受付手段と、
前記原稿材料或いは前記原稿の印刷データに、前記原稿材料或いは前記原稿に付加された情報を付加して、該印刷データを前記印刷指示受付手段で受け付けた印刷装置へ送信する送信手段と
を更に具備し、
前記印刷装置は、
前記印刷データの色空間を前記送信手段で送信された印刷データに付加された情報に基づき変換する変換手段
を備える
請求項１乃至１２のいずれかに記載の画像形成システム。
【請求項１４】
素材、テンプレートを含む原稿材料を用いて作成される原稿の出力条件を受け付ける出力条件受付手段と、
前記原稿材料を受け付ける原稿材料受付手段と、
前記出力条件受付手段で受け付けた前記出力条件で設定された色空間と前記原稿材料受付手段で受け付けた前記原稿材料の色空間とが合致するか否かを確認する確認手段と、
前記確認手段で合致しないと確認された場合には、該原稿材料の色空間を該出力条件で設定された色空間に変換する色空間変換手段と、
前記色空間変換手段で色空間が変換された原稿材料を記憶する記憶手段と、
前記記憶手段で記憶された前記原稿材料を用いて作成された原稿を記憶する原稿記憶手段と
を具備する画像形成管理装置。
【請求項１５】
コンピュータを
素材、テンプレートを含む原稿材料を用いて作成される原稿の出力条件を受け付ける出力条件受付手段、
前記原稿材料を受け付ける原稿材料受付手段、
前記出力条件受付手段で受け付けた前記出力条件で設定された色空間と前記原稿材料受付手段で受け付けた前記原稿材料の色空間とが合致するか否かを確認する確認手段、
前記確認手段で合致しないと確認された場合には、該原稿材料の色空間を該出力条件で設定された色空間に変換する色空間変換手段、
前記色空間変換手段で色空間が変換された原稿材料を記憶する記憶手段、
前記記憶手段で記憶された前記原稿材料を用いて作成された原稿を記憶する原稿記憶手段
として機能させるための画像形成管理プログラム。
【発明の詳細な説明】
【技術分野】
【０００１】
本発明は、画像形成システムおよび画像形成管理装置および画像形成管理プログラムに関する。
【背景技術】
【０００２】
従来よりパーソナルコンピュータ等により原稿が作成される際には、原稿作成のレイアウトアプリケーションにより、原稿のカラースペース（色空間）がＣＭＹＫ（Cyan Magenta Yellow Black）またはＲＧＢ（Red Green Blue）などに設定されて、データの配置などが行われる。
【０００３】
例えば、原稿のカラースペースにＣＭＹＫが設定されて、背景などのグラフィックスはＣＭＹＫオブジェクトで写真はＲＧＢオブジェクトで作成された場合、配置されるオブジェクトのカラースペースがＲＧＢであると、そのオブジェクトはアプリケーションで自動的にカラースペースがＣＭＹＫに変換されて配置される。
【０００４】
特許文献１には、画像の色空間情報タグを読み取り、標準的な色空間の場合はそのままで、標準的な色空間と異なる場合は色空間情報を参照して変換マトリックスを算出し色空間変換を行う画像ファイルの読み取り方法、画像ファイル読み取り装置が開示されている。
【０００５】
特許文献２には、描画オブジェクトの種類割合を取得して、オブジェクトの領域面積率を算出し、その面積率に応じて、誤差拡散法の処理かディザ法のスクリーン処理を行う画像処理装置および画像処理装置のデータ処理方法等が開示されている。
【先行技術文献】
【特許文献】
【０００６】
【特許文献１】特開２００４−３６２４１７号公報
【特許文献２】特開平１１−１３８９２０号公報
【発明の概要】
【発明が解決しようとする課題】
【０００７】
原稿作成の段階で、素材等のデータのカラースペースとプリンタの出力条件を比較して、出力予定のプリンタのカラースペースに変換し、それを用いた原稿作成が可能である画像形成システムおよび画像形成管理装置および画像形成管理プログラムを提供することを目的とする。
【課題を解決するための手段】
【０００８】
上記目的を達成するために、請求項１の発明の画像形成システムは、素材或いはテンプレートを含む原稿材料を用いて作成される原稿の出力条件を受け付ける出力条件受付手段と、前記原稿材料を受け付ける原稿材料受付手段と、前記出力条件受付手段で受け付けた前記出力条件で設定された色空間と前記原稿材料受付手段で受け付けた前記原稿材料の色空間とが合致するか否かを確認する確認手段と、前記確認手段で合致しないと確認された場合には、該原稿材料の色空間を該出力条件で設定された色空間に変換する色空間変換手段と、前記色空間変換手段で色空間が変換された原稿材料を記憶する記憶手段と、前記記憶手段で記憶された前記原稿材料を用いて出力する原稿を作成する原稿作成手段とを具備するように構成される。
【０００９】
また、請求項２の発明は、請求項１の発明において、前記確認手段で合致しないと確認された場合には警告を表示する警告表示手段を更に具備し、前記記憶手段は、前記確認手段で合致すると確認された場合には前記原稿材料の色空間を変換せずに前記原稿材料を記憶するように構成される。
【００１０】
また、請求項３の発明は、請求項１または２の発明において、前記色空間変換手段は、前記確認手段で合致しないと確認された場合には、前記原稿材料の色空間を前記出力条件で設定された色空間に変換するための色変換係数を作成して変換するように構成される。  また、請求項４の発明は、請求項１から３のいずれかの発明において、前記色空間変換手段は、前記確認手段で合致しないと確認された場合には、前記原稿材料の色空間を前記出力条件で設定された色空間に変換せずに、該原稿材料の色空間を該出力条件で設定された色空間に変換するための色変換係数を作成するように構成される。
【００１１】
また、請求項５の発明は、請求項１から４のいずれかの発明において、前記色空間変換手段は、前記確認手段で合致しないと確認された場合には、前記原稿材料の色空間を前記出力条件で設定された色空間に変換せずに、前記出力条件で設定された色空間を操作者に指示するように構成される。
【００１２】
また、請求項６の発明は、請求項１から５のいずれかの発明において、前記色空間変換手段は、前記原稿材料の色空間を前記出力条件で設定された色空間に変換すること、或いは、前記原稿材料の色空間を前記出力条件で設定された色空間に変換せずに変換するための色変換係数を作成すること、或いは、前記原稿材料の色空間を前記出力条件で設定された色空間に変換せずに出力条件で設定された色空間を操作者に指示すること、のいずれかを前記出力条件に設定される出力先に対応して行うように構成される。
【００１３】
また、請求項７の発明は、請求項１から６のいずれかの発明において、前記記憶手段は、前記出力条件受付手段で受け付けた前記出力条件を前記原稿材料に付加して記憶するように構成される。
【００１４】
また、請求項８の発明は、請求項１から７のいずれかの発明において、前記記憶手段は、前記色空間変換手段が行う色空間の変換に関する情報を、前記原稿材料に付加して記憶するように構成される。
【００１５】
また、請求項９の発明は、請求項８の発明において、前記色空間の変換に関する情報は、所定の色が前記色空間変換手段で変換された変換後の値を含むように構成される。
【００１６】
また、請求項１０の発明は、請求項９の発明において、前記色空間変換手段で変換されたデータの変換前のデータを前記色空間の変換に関する情報に基づき取得するように構成される。
【００１７】
また、請求項１１の発明は、請求項１から１０のいずれかの発明において、印刷指示を受け付ける印刷指示受付手段と、前記原稿材料或いは前記原稿の印刷データに前記出力条件受付手段で受け付けた前記出力条件で設定された色空間の情報を付加して、該印刷データを前記印刷指示受付手段で受け付けた印刷装置へ送信する送信手段とを更に具備し、前記印刷装置は、前記送信手段で送信された印刷データに付加された情報が示す前記色空間に自装置が対応していない場合には、操作者に警告を表示する警告表示手段を備えるように構成される。
【００１８】
また、請求項１２の発明は、請求項１１の発明において、前記警告表示手段は、前記送信手段を具備する印刷管理装置で警告情報が表示されるように警告情報を該印刷管理装置に送信するように構成される。
【００１９】
また、請求項１３の発明は、請求項１から１２のいずれかの発明において、印刷指示を受け付ける印刷指示受付手段と、前記原稿材料或いは前記原稿の印刷データに、前記原稿材料或いは前記原稿に付加された情報を付加して、該印刷データを前記印刷指示受付手段で受け付けた印刷装置へ送信する送信手段とを更に具備し、前記印刷装置は、前記印刷データの色空間を前記送信手段で送信された印刷データに付加された情報に基づき変換する変換手段を備えるように構成される。
【００２０】
また、請求項１４の発明の画像形成管理装置は、素材、テンプレートを含む原稿材料を用いて作成される原稿の出力条件を受け付ける出力条件受付手段と、前記原稿材料を受け付ける原稿材料受付手段と、前記出力条件受付手段で受け付けた前記出力条件で設定された色空間と前記原稿材料受付手段で受け付けた前記原稿材料の色空間とが合致するか否かを確認する確認手段と、前記確認手段で合致しないと確認された場合には、該原稿材料の色空間を該出力条件で設定された色空間に変換する色空間変換手段と、前記色空間変換手段で色空間が変換された原稿材料を記憶する記憶手段と、前記記憶手段で記憶された前記原稿材料を用いて作成された原稿を記憶する原稿記憶手段とを具備するように構成される。
【００２１】
また、請求項１５の発明の画像形成管理プログラムは、コンピュータを素材、テンプレートを含む原稿材料を用いて作成される原稿の出力条件を受け付ける出力条件受付手段、前記原稿材料を受け付ける原稿材料受付手段、前記出力条件受付手段で受け付けた前記出力条件で設定された色空間と前記原稿材料受付手段で受け付けた前記原稿材料の色空間とが合致するか否かを確認する確認手段、前記確認手段で合致しないと確認された場合には、該原稿材料の色空間を該出力条件で設定された色空間に変換する色空間変換手段、前記色空間変換手段で色空間が変換された原稿材料を記憶する記憶手段、前記記憶手段で記憶された前記原稿材料を用いて作成された原稿を記憶する原稿記憶手段として機能させる。
【発明の効果】
【００２２】
請求項１の発明によれば、原稿作成後に印刷装置毎に色あわせを行う必要がない、という効果を奏する。
【００２３】
請求項２の発明によれば、色空間が合致しない場合に警告が表示される。
【００２４】
請求項３の発明によれば、原稿作成後に印刷装置毎に色あわせを行う必要がない、という効果を奏する。
【００２５】
請求項４の発明によれば、色空間が合致しない場合に、色空間が変換されたデータを保持する必要がない。
【００２６】
請求項５の発明によれば、色空間が合致しない場合に、出力条件で設定された色空間が操作者に指示される。
【００２７】
請求項６の発明によれば、出力先に応じて、処理が行われる。
【００２８】
請求項７の発明によれば、原稿作成後に印刷装置毎に色あわせを行う必要がない、という効果を奏する。
【００２９】
請求項８の発明によれば、原稿作成後に印刷装置毎に色合わせを行う必要がない、という効果を奏する。
【００３０】
請求項９の発明によれば、原稿作成後に印刷装置毎に色合わせを行う必要がない、という効果を奏する。
【００３１】
請求項１０の発明によれば、変換前のデータが取得されるという効果を奏する。
【００３２】
請求項１１の発明によれば、印刷装置が印刷データの色空間に対応していない場合に、操作者に警告が表示される。
【００３３】
請求項１２の発明によれば、印刷装置が印刷データの色空間に対応していない場合に、操作者に警告が表示される。
【００３４】
請求項１３の発明によれば、原稿作成後に印刷装置毎に色あわせを行う必要がない、という効果を奏する。
【００３５】
請求項１４の発明によれば、原稿作成後に印刷装置毎に色合わせを行う必要がない、という効果を奏する。
【００３６】
請求項１５の発明によれば、原稿作成後に印刷装置毎に色合わせを行う必要がない、という効果を奏する。
【図面の簡単な説明】
【００３７】
【図１】図１は印刷システム１の構成を示す模式図である。
【図２】図２はクライアント１０からアップロードされる素材５のデータの内容を示す表である。
【図３】図３は条件設定部１０１で設定される条件設定の内容を示す表である。
【図４】図４は印刷システム１で行われる処理について示すフローチャートである。
【図５】図５はデータ制御部１０によって行われる適合性評価について示す図である。
【図６】カラースペース変換情報の一例を示す図である。
【発明を実施するための形態】
【００３８】
以下、本発明の実施例について添付図面を参照して詳細に説明する。
【００３９】
まず、本願発明に係る印刷システム１について図１を参照して説明を行う。
【００４０】
図１は、印刷システム１の構成を示す模式図である。
【００４１】
印刷システム１は、図１に示すように、担当者Ａによって操作されるクライアント１０、サーバ１００が通信回線によって接続され、また、サーバ１００は、拠点Ａ（５１）の通信回線２、拠点Ｂ（５２）の通信回線３と接続されている。
【００４２】
サーバ１００には、担当者Ａによって素材５、テンプレート６、原稿７がアップロードされて格納されている。
【００４３】
拠点Ａ（５１）の通信回線２には、拠点Ａ（５１）における発注担当者によって操作されるクライアント１２と印刷機２１とセンタプリンタ２２とが接続されている。そして、クライアント１２からの指示により、サーバ１００に格納される素材５、テンプレート６、原稿７がセンタプリンタ２１、印刷機２２で印刷出力される。
【００４４】
センタプリンタ２１は、サーバ１００より送られる印刷データの印刷を行う大量高速印刷用のセンタプリンタであり、カラースペース（色空間）がＲＧＢ（Red Green Blue）の場合とＣＭＹＫ（Cyan Magenta Yellow Black）の場合の印刷データに対応している。
【００４５】
センタプリンタ２１は、ＰＤＦファイルとジョブチケットを受付ける。
【００４６】
印刷機２２は、サーバ１００より送られる印刷データの印刷を行う印刷機であり、カラースペースがＣＭＹＫの印刷データに対応している。
【００４７】
印刷機２２は、原稿に対応する版が作成され、版が使用されて大量印刷が行われる印刷装置である。
【００４８】
拠点Ｂ（５２）の通信回線３には、拠点Ｂ（５２）における発注担当者によって操作されるクライアント１３とＰＳ（PostScript）プリンタ２３と非ＰＳ（PostScript）プリンタ２４とが接続されている。そして、クライアント１３からの指示により、サーバ１００に格納される素材５、テンプレート６、原稿７がＰＳプリンタ２３、非ＰＳプリンタ２４で印刷出力される。
【００４９】
ＰＳプリンタ２３は、サーバ１００より送られる印刷データの印刷を行うプリンタであって、ポストスクリプト（PostScript）対応のプリンタであり、カラースペースがＲＧＢの場合とＣＭＹＫの場合の印刷データに対応している。
【００５０】
ＰＳプリンタ２３の例としては、カラーレーザープリンタが挙げられる。
【００５１】
ＰＳプリンタ２３が印刷先である印刷指示がサーバ１００に受付けられると、印刷対象であるデータ（素材５、テンプレート６、原稿７）が印刷データに変換されてＰＳプリンタ２３に送られる。
【００５２】
非ＰＳプリンタ２４は、サーバ１００より送られる印刷データの印刷を行うプリンタであって、ポストスクリプト（PostScript）に非対応のプリンタであり、カラースペースがＲＧＢの印刷データに対応している。
【００５３】
非ＰＳプリンタ２４の例としては、インクジェットプリンタやＧＤＩ（Graphical Device Interface）プリンタが挙げられる。
【００５４】
非ＰＳプリンタ２４が印刷先である印刷指示がサーバ１００に受付けられると、印刷対象であるデータ（素材５、テンプレート６、原稿７）が印刷データに変換されて非ＰＳプリンタ２４に送られる。
【００５５】
サーバ１００は、条件設定部１０１、データ制御部１０２、データ格納部１０３、レイアウトＵＩ部１０４、原稿生成部１０５を備える。
【００５６】
条件設定部１０１は、担当者Ａが操作するクライアント１０から入力される条件設定を受け付け設定する。
【００５７】
条件設定部１０１が設定する条件設定の内容は、その条件設定に対応する素材５、テンプレート６、原稿７が出力される場合のワークフローである。条件設定の内容は、後に図３を参照して説明するが、ワークフローの概要、カラースペース、用途、出力先、カラースペース定義等である。
【００５８】
データ制御部１０２は、条件設定部１０１により設定された条件設定と、クライアント１０からアップロードされた素材５、テンプレート６、原稿７のデータとを比較して、適合性評価を行う。
【００５９】
また、データ制御部１０２は、アップロードされたデータ（素材５、テンプレート６、原稿７）のカラースペースを変換する変換処理を行う。
【００６０】
データ格納部１０３は、クライアント１０からアップロードされた素材５、テンプレート６、原稿７や、原稿生成部１０５で生成された原稿７等を記憶格納する。  原稿７は、クライアント１０からアップロードされる場合もあれば、データ格納部１０３に格納される素材５、テンプレート６に基づいて原稿生成部１０５で生成される場合もある。
【００６１】
また、データ格納部１０３は、後で説明するカラースペース情報が付加されたデータ（素材５、テンプレート６、原稿７）をも記憶格納する。
【００６２】
レイアウトＵＩ部１０４は、クライアント１０にレイアウト画面を表示させる。クライアント１０を操作する担当者Ａは、表示されるレイアウト画面より、素材５、テンプレート６、原稿７をサーバ１００にアップロードさせることができる。  また、クライアント１０を操作する担当者Ａは、表示されるレイアウト画面より、データ格納部１０３に記憶格納される素材５、テンプレート６、原稿７の編集作業をすることができる。
【００６３】
原稿生成部１０５は、レイアウトＵＩ部１０４によりクライアント１０に表示されて編集データを原稿７としてデータ格納部１０３に記憶格納させる。
【００６４】
このように構成される印刷システム１では、担当者Ａがクライアント１０より入力した条件設定を、サーバ１００の条件設定部１０１が受け付けて設定する。
【００６５】
次に、条件設定を入力した担当者Ａは、クライアント１０に表示されるレイアウト画面より、素材５、テンプレート６、原稿７のデータをサーバ１００にアップロードさせる。
【００６６】
すると、サーバ１００のデータ制御部１０２が、アップロードされたデータと設定された条件設定とを比較して、アップロードされたデータの適合評価を行う。
【００６７】
そして適合評価の結果、アップロードされたデータの色変換が必要な場合には、色変換が実施され、また、アップロードされたデータには、カラースペース変換情報等の情報が付加され、データ格納部１０３に記憶格納される。
【００６８】
アップロードされたデータにカラースペース変換情報等の情報が付加される際には、そのデータにタグ付加としてカラースペース変換情報等の情報が付加されてもいいし、または、そのデータのバイナリデータにカラースペース変換情報等の情報が追記される形で情報が付加されてもよい。
【００６９】
担当者Ａは、クライアント１０より、データ格納部に記憶格納される素材５、テンプレート６、原稿７の編集作業を行い、データ格納部１０３に編集作業の結果である原稿７を記憶格納させる（編集された原稿７の上書きも含まれる）。
【００７０】
また、拠点Ａ（５１）の発注担当者はクライアント１２からサーバ１００に指示を送ることにより、サーバ１００のデータ格納部１０３に記憶格納される素材５、テンプレート６、原稿７をセンタプリンタ２１または印刷機２２から印刷出力させることができる。
【００７１】
また、拠点Ｂ（５２）の発注担当者はクライアント１３からサーバ１００に指示を送ることにより、サーバ１００のデータ格納部１０３に記憶格納される素材５、テンプレート６、原稿７をＰＳプリンタ２３または非ＰＳプリンタ２４から印刷出力させることができる。
【００７２】
次に、データ制御部１０２で比較される、クライアント１０からアップロードされた素材５、テンプレート６、原稿７のデータについて図２を参照して説明する。
【００７３】
図２は、クライアント１０からアップロードされる素材５のデータの内容を示す表であり、図２（ａ）はレイアウト画面に表示される素材５を示す図であり、図２（ｂ）は図２（ａ）に示すレイアウト画面上の素材５のデータの内容を示す表である。
【００７４】
素材５には、写真、文字、図形などのグラフィックスオブジェクトがある。
【００７５】
担当者Ａは、図２（ａ）に示すように、クライアント１０に表示されるレイアウト画面上に  素材５をアップロードさせる。
【００７６】
アップロードされた素材５は、図２（ａ）に示すように、３つのオブジェクトであり、オブジェクト１、オブジェクト２、オブジェクト３である。
【００７７】
これらオブジェクトのデータの内容は、図２（ｂ）に示すように、オブジェクト１のカラースペースはＲＧＢの種類で具体的にはｓＲＧＢであり、オブジェクト２のカラースペースはＣＭＹＫの種類で具体的にはＪａｐａｎＣｏｌｏｒであり、オブジェクト３のカラースペースはＲＧＢの種類で具体的にはＷｉｄｅＲＧＢである。
【００７８】
次に、条件設定部１０１で設定される条件設定の内容について図３を参照して説明を行う。
【００７９】
図３は、条件設定部１０１で設定される条件設定の内容を示す表である。
【００８０】
条件設定部１０１で設定される条件設定の内容は、図３に示すように種々のワークフローが存在する。
【００８１】
条件設定の内容は、図３に示すように、条件設定の番号に応じて、設定された、ワークフローの概要、カラースペース、用途、出力先、正式カラースペース等である。
【００８２】
条件設定の内容は、サーバ１００のデータ格納部１０３に記憶されており、クライアント１０で条件設定が行われる際には、サーバ１００に記憶される条件設定の内容がクライアント１０に送られて、クライアント１０の図示しない表示部に表示される。
【００８３】
クライアント１０を操作する担当者Ａは、条件設定の際にクライアント１０に表示される種々の条件設定の中からいずれかの条件設定の番号を選択する。或いは、クライアント１０を操作する担当者Ａは、条件設定の際にクライアント１０に表示される種々の条件設定の中からいずれかの条件設定を選択せずに、自ら新規の条件設定（ワークフロー）の内容を入力し（カラースペース、用途、出力先、正式カラースペースの項目中から設定する項目の内容を入力する）、その新規の条件設定を選択してもよい。
【００８４】
クライアント１０において新規の条件設定が入力された際には、その内容がサーバ１００に送られて、新規の条件設定としてデータ格納部１０３に記憶される。
【００８５】
条件設定部１０１で設定される条件設定（ワークフロー）の項目は、ワークフローの概要、ワークフローの対象となるデータ（素材５、テンプレート、原稿７）の出力される用途（モニタに出力されるか若しくは印刷装置に出力（印刷出力）されるか。）」、その用途で出力される際のカラースペース、具体的な出力先等であるが、それらに限らず他の項目を条件設定（ワークフロー）に設定されるように構成してもよい。
【００８６】
条件設定（ワークフロー）の内容としては、例えば、図３に示すように、「条件設定：１」は、ＲＧＢのカラースペースによってモニタに表示されることを示す。
【００８７】
図３に示す「条件設定：２」のように、データ格納部１０３に記憶される素材５、テンプレート６、原稿７の出力先は、印刷装置だけに限らず、Ｗｅｂ掲載を目的としたモニタをも考慮されている。
【００８８】
また、例えば、図３に示すように、「条件設定：５」は、ｓＲＧＢのカラースペースによって非ＰＳプリンタ２４に出力されることを示す。
【００８９】
例えば、図３に示すように、「条件設定：７」はｓＲＧＢのカラースペースによってＰＳプリンタ２３に出力されることを示し、また、「条件設定：８」はカタログ内製のためにＷｉｄｅＲＧＢのカラースペースによってＰＳプリンタ２３に出力されることを示す。  このように、出力先が同じで、出力されるカラースペースが異なる条件設定（ワークフロー）が設定されてもよい。
【００９０】
また、図３に示すように、「条件設定：２」は、モニタへの出力と印刷装置への印刷出力とが行なわれるワークフローを示している。そして、このワークフローによってモニタに出力される際に行われるカラースペースの変換の方法と、このワークフローによって印刷装置に印刷出力される際に行われるカラースペースの変換の方法とを、図３（ｂ）に示すように、それぞれ色変換方法１と色変換方法２というように異ならせることができる。
【００９１】
次に、印刷システム１で行われる処理について、図４を参照して説明を行う。
【００９２】
図４は、印刷システム１で行われる処理について示したフローチャートである。
【００９３】
印刷システム１では、素材５、テンプレート６、原稿７をサーバ１００にアップロードさせる担当者Ａがクライアント１０を操作して、サーバ１００より条件設定の内容（図３を参照して説明したように、条件設定の番号に応じて設定されている内容であるワークフローの概要、カラースペース、用途、出力先、正式カラースペース等である。）を取得する。
【００９４】
クライアント１０は、サーバ１００より取得した条件設定の内容を図示しない表示部に表示する。
【００９５】
担当者Ａは、図示しないクライアント１０の表示部に表示された条件設定の内容から、アップロードさせる素材５、テンプレート６、原稿７のワークフローとなる条件設定を選択しクライアント１０に入力する（ステップ４０１）。
【００９６】
或いは、担当者Ａは、図示しないクライアント１０の表示部に表示された条件設定の内容に所望の条件設定が含まれていない場合には、新規に所望の条件設定をクライアント１０に入力して、その新規入力した条件設定を選択してクライアント１０に入力するようにしてもよい。
【００９７】
また、担当者Ａが条件設定を入力する際、出力先の候補が複数ある場合には、一つのデータ（素材５、テンプレート６、原稿７）に対して複数の条件設定を選択してクライアント１０に入力するようにしてもよい。
【００９８】
担当者Ａによってクライアント１０に入力された条件設定は、サーバ１００に送られる。
【００９９】
サーバ１００は、クライアント１０より送られた条件設定（条件設定が新規入力された場合にはその内容）を受信して（ステップ４０２）、図示しないＲＡＭ（Random Access Memory）に一時記憶する（新規入力された条件設定の内容を受信した場合には、新規の条件設定の内容としてデータ格納部１０３に記憶させる。）。
【０１００】
条件設定をクライアント１０に入力した担当者Ａは、次に、クライアント１０に表示されレイアウト画面から素材５、テンプレート６、原稿７等をサーバ１００にアップロードさせる（ステップ４０３）。
【０１０１】
クライアント１０からアップロードされたデータを受信した（ステップ４０４）サーバ１００は、データ制御部１０２が、クライアント１０から受信して図示しないＲＡＭに一時記憶した条件設定と、クライアント１０からアップロードされたデータ（素材５、テンプレート６、原稿７）とを比較して、適合性評価を行う（ステップ４０５）。
【０１０２】
ここで、データ制御部１０によって行われる適合性評価について図５を参照して説明を行う。
【０１０３】
図５は、データ制御部１０によって行われる適合性評価について示す図であり、図５（ａ）はクライアント１０からサーバ１００にアップロードされたデータについての情報を示す表であり、図５（ｂ）はクライアント１０から受信した設定情報を示す表であり、図５（ｃ）はデータ制御部１０によって行われた適合性評価の結果であってクライアント１０に表示されるクライアントメッセージを示す画面構成図であり、図５（ｄ）はアップロードされたデータの色変換された内容を示す表である。
【０１０４】
クライアント１０からサーバ１００にアップロードされたデータが図５（ａ）に示すように３つのオブジェクト（素材５）があり、オブジェクト１のカラースペースはＲＧＢ、オブジェクト２のカラースペースはＣＭＹＫ、オブジェクト３のカラースペースはＲＧＢである。  ここでは、例として素材５がアップロードされた場合を説明するが、テンプレート６、原稿７がアップロードされた場合も同様の処理が行われる。
【０１０５】
また、サーバ１００がクライアント１０から受信した条件設定は、カラースペースが「ＣＭＹＫ」の４番である。
【０１０６】
データ制御部１０は、適合性評価を行うにあたって、アップロードされたオブジェクトのデータであるカラースペースと、クライアント１０から受信した条件設定で設定されたカラースペースとを比較して、それらが合致するか否かを確認する。
【０１０７】
そして、比較の結果、それらのカラースペースが異なる場合には、アップロードされたオブジェクトのカラースペースが条件設定で設定されたカラースペースに成るように、カラースペースの変換が必要だと判断される。
【０１０８】
アップロードされたオブジェクトのカラースペースを条件設定で設定されたカラースペースに成るようにカラースペースの変換が行われる際に、条件設定で出力先の印刷装置が決まっている場合には、その出力先の印刷装置の特性に適合するようなカラースペースの変換が必要だと判断される。
【０１０９】
ここでは、アップロードされたオブジェクトのカラースペースが「オブジェクト１：ＲＧＢ」「オブジェクト２：ＣＭＹＫ」「オブジェクト３：ＲＧＢ」であって、クライアント１０から受信した条件設定で設定されたカラースペースは「ＣＭＹＫ」であるので、オブジェクト１とオブジェクト３のデータが「ＣＭＹＫ」のカラースペースへ変換必要だと判断される。
【０１１０】
このように判断された適合性評価の結果は、サーバ１００からクライアント１０に送られて（ステップ４０６）、クライアント１０の図示しない表示部に表示される（ステップ４０７）。
【０１１１】
クライアント１０の図示しない表示部に表示される内容は、図５（ｃ）に示すように、「オブジェクト１、３のカラースペースが異なります。データをＣＭＹＫに変換してください。」というように、カラースペースの変換が必要なオブジェクトとその変換後のカラースペースとを表示する内容である。
【０１１２】
つまり、適合性評価の結果としてクライアント１０に通知される内容には、アップロードされたデータのカラースペースと条件設定で設定されたカラースペースとが異なる場合に通知される警告が含まれる。
【０１１３】
また、クライアント１０の図示しない表示部には、図５（ｃ）に示すように、データの変換をクライアント１０で行うか或いはサーバ１００で行うかを担当者Ａに尋ねる内容も表示される。
【０１１４】
クライアント１０を操作する担当者Ａは、クライアント１０の図示しない表示部に表示されたデータの変換場所を尋ねる内容に対する指示を、クライアント１０に入力する。
【０１１５】
ここでは、図５（ｃ）に示すように、サーバ１００でデータ変換が行われることが担当者Ａによって指示されたとして説明するが、クライアント１０でデータ変換が行われることが担当者Ａによって指示された場合にはクライアント１０でデータ変換が行われて、データ変換が行われたデータがサーバ１００に送られて、サーバ１００でカラースペース情報が付加されてデータ格納部１０３に記憶格納される。
【０１１６】
図５（ｃ）に示すように、サーバ１００でデータ変換が行われることが指示されると、その指示内容がクライアント１０からサーバ１００に送られて、サーバ１００で変換が必要なデータに対して適合性評価で判断された内容のデータ変換が行われる（ステップ４０８）。
【０１１７】
ここで行われるデータ変換は、カラースペースの変換である。
【０１１８】
カラースペースの変換にはルックアップテーブルが用いられる。
【０１１９】
ルックアップテーブルは、予め作成してデータ格納部１０３に記憶格納されているものが使用されてもよいし、また、データ変換の際に新たに作成されたものが使用されてもよい。
【０１２０】
ルックアップテーブルを用いてカラースペースを変換については、例えば、特開２００２−２７２７４号公報、特開２００６−１２９２５９号公報、特開２００７−４３２５０号公報、特開２００６−３２５０５３号公報等に記載されている従来技術により実施することができる。
【０１２１】
例えば、アップデートされたデータのカラースペースがＣＭＹＫのＪａｐａｎＣｏｌｏｒで出力先の印刷装置がＰＳプリンタ２３の場合、ＪａｐａｎＣｏｌｏｒからＰＳプリンタ２３の特性に適合するカラースペースへ変換する多次元ルックアップテーブルが使用されて、変換が行われる。
【０１２２】
ここでは、図５（ｃ）を参照して説明したクライアントメッセージのように、オブジェクト１、３のカラースペースがＣＭＹＫに変換される必要があるので、オブジェクト１とオブジェクト３のデータのカラースペースがＣＭＹＫに変換されて、変換されたデータにカラースペース変換情報が付加されてデータ格納部１０３に記憶格納される。
【０１２３】
ステップ４０８でデータ変換されたデータ（素材５、テンプレート６、原稿７）は、データ格納部１０３に記憶格納される際に、そのデータ変換に関する情報であるカラースペース変換情報が付加されてデータ格納部１０３に記憶格納される（ステップ４０９）。
【０１２４】
カラースペース変換情報は、カラースペース変換情報が付加されるデータに設定された設定情報（ワークフロー）の番号、そのデータがサーバ１００にアップロードされたときのカラースペースの種類とその設定情報によって指定されるカラースペースの種類とを示す色変換情報、カラースペースの変換が行われたか否かを示す色変換済情報（後で説明するが、データのカラースペース変換が行われないまま、データにカラースペース変換情報が付加されて、そのデータがデータ格納部１０３に記憶格納される場合もある。）、データのカラースペース変換が行われた場合に基準データの変換値についての情報である色変換値である。
【０１２５】
カラースペース変換情報の一例について図６を参照して説明を行う。
【０１２６】
図６は、カラースペース変換情報の一例として、図５（ａ）を参照して説明したオブジェクト１が図５（ｂ）を参照して説明した条件設定に基づき適合性評価されてデータ変換された場合に付加されるカラースペース変換情報である。
【０１２７】
図６に示すように、カラースペース変換情報の一例としては、そのカラースペース変換情報が付加されるデータ（この場合はオブジェクト１）に設定された条件設定の番号が「４」である（参照番号６０１）。
【０１２８】
条件設定の番号が「４」であるので、このデータに設定された条件設定（ワークフロー）は、図３を参照した条件設定の内容の「条件設定：４」である「ＣＭＹＫのカラースペースによって印刷機２２に出力される」ことを示すことが明確にされる。
【０１２９】
図６に示すように、カラースペース変換情報の一例としては、そのカラースペース変換情報が付加されるデータ（この場合はオブジェクト１）の色変換情報が「１」である（参照番号６０２）。
【０１３０】
色変換情報の番号に対応する意味は、予め決められている。
【０１３１】
色変換情報の「０」は、データがサーバ１００にアップロードされたときのカラースペースの種類がＲＧＢであって、そのデータに設定された設定情報で指定されるカラースペースの種類がＲＧＢであることを示す番号である（参照番号６０３）。
【０１３２】
色変換情報の「１」は、データがサーバ１００にアップロードされたときのカラースペースの種類がＲＧＢであって、そのデータに設定された設定情報で指定されるカラースペースの種類がＣＭＹＫであることを示す番号である（参照番号６０４）。
【０１３３】
色変換情報の「２」は、データがサーバ１００にアップロードされたときのカラースペースの種類がＣＭＹＫであって、そのデータに設定された設定情報で指定されるカラースペースの種類がＲＧＢであることを示す番号である（参照番号６０５）。
【０１３４】
色変換情報の「３」は、データがサーバ１００にアップロードされたときのカラースペースの種類がＣＭＹＫであって、そのデータに設定された設定情報で指定されるカラースペースの種類がＣＭＹＫであることを示す番号である（参照番号６０６）。
【０１３５】
ここでは、ＣＭＹＫとＲＧＢとの間でのカラースペースの変換について説明したが、ＣＭＹＫに関係するカラースペース定義（例えばＪａｐａｎＣｏｌｏｒ）とＲＧＢに関係するカラースペース定義（例えばｓＲＧＢ）との間でのカラースペースの変換が行われてもよく、カラースペース変換情報の色変換情報にＣＭＹＫに関係するカラースペース定義とＲＧＢに関係するカラースペース定義との間でのカラースペースの変換に対応する番号が記録されるように構成されてもよい。
【０１３６】
図６に示すように、カラースペース変換情報の一例としては、そのカラースペース変換情報が付加されるデータ（この場合はオブジェクト１）の色変換済情報の番号が「１」である（参照番号６０７）。
【０１３７】
色変換済情報の番号に対応する意味は、「０」がカラースペースの変換が行われていないことを示し、「１」がカラースペースの変換が行われたことを示す（参照番号６０８）。
【０１３８】
図６に示すように、カラースペース変換情報の一例としては、そのカラースペース変換情報が付加されるデータ（この場合はオブジェクト１）の色変換値が（１００、１００、１００、５）である（参照番号６０９）。
【０１３９】
ここでカラースペース変換情報である色変換値について説明する。色変換値は、データのカラースペースが変換された際に、基準となる色がその変換によって変換された変換後の色の値である。基準となる色は例えば黒（０、０、０）（ＲＧＢの場合）であるが、黒に限定されずに、黄色や赤色等の他の色であってもよい。
【０１４０】
図６に示す例では、色変換情報が「１」であるので、アップロードされたときのカラースペースの種類はＲＧＢであって、そのデータに設定された設定情報で指定されるカラースペースの種類はＣＭＹＫであり、色変換済情報が「１」であるので色変換が行われており、アップロードされたときのＲＧＢから設定情報で指定されたＣＭＹＫへの色変換が行われている。図６に示す例では、このようにＲＧＢからＣＭＹＫへの色変換が行われているから、基準となる黒（０、０、０）がその色変換によってＲＧＢからＣＭＹＫに変換された色の値である（１００、１００、１００、５）が色変換値となっている。
【０１４１】
このような色変換値は、データ（素材５、テンプレート６、原稿７）の色変換が行われて、カラースペース変換情報が後に失われた場合のその情報の追跡等に使用される。
【０１４２】
例えば、代表的な印刷ターゲットのＣＭＹＫからＲＧＢへの色変換データ対を保持しておき、変換後のＲＧＢ値からＣＭＹＫの印刷ターゲットを推定する。これはつまり、種々のカラースペースの変換パターンに対応して基準となる色の変換前後の値をデータ対として記憶しておき、カラースペース変換情報の一部が失われた場合には、カラースペース変換情報の色変換値を基にカラースペースの変換パターン（例えば、ＣＭＹＫからＲＧＢへの変換）を導き出し、導き出された変換パターンと変換後の画像データから変換前の画像データを推定する、というものである。この処理によって、例えば、印刷装置が、ＣＭＹＫからＲＧＢに変換された変換後のデータを受信したとしても、変換前のＣＭＹＫのデータを推定することで、受信したＲＧＢデータ状態で失われた情報（ＣＭＹＫからＲＧＢへの変換により失われた情報）を推定することができる。
【０１４３】
また、色変換値を使用した情報の追跡の一例として、各種プリンタのＲＧＢからＣＭＹＫへの色変換データ対を保持して、想定したプリンタを推定する、というものがある。これはつまり、各種プリンタにおけるカラースペースの変換パターンに対応して基準となる色の変換前後の値をデータ対として記憶しておき、カラースペース変換情報の一部が失われて出力先となる印刷装置の情報が失われた場合には、カラースペース変換情報の色変換値（カラースペース変換情報の色変換情報を利用してもよい）を基に出力先となる印刷装置を推定する、というものである。
【０１４４】
このようなカラースペース変換情報が付加されて、データ変換されたデータがデータ格納部１０３に記憶格納されると、データ格納部１０３に格納されたデータ（素材５、テンプレート６、原稿７）がクライアント１０を操作する担当者Ａに利用されて、原稿作成が行われる（ステップ４１０）。
【０１４５】
クライアント１０を操作する担当者Ａは、サーバ１００のレイアウトＵＩ部１０４によってクライアント１０に表示されるレイアウト画面より、データ格納部１０３に記憶格納される素材５、テンプレート６、原稿７の編集作業を行って、原稿７を作成することができる（この原稿作成には、データ格納部１０３に記憶格納される原稿７が編集されて新たな原稿７がデータ格納部１０３に記憶格納される処理も含まれる。）。
【０１４６】
担当者Ａが操作するクライアント１０に表示されるレイアウト画面より編集されて作成された原稿７は、原稿生成部１０５によって（ステップ４１１）データ格納部７に原稿７として記憶格納される（ステップ４１２）。
【０１４７】
原稿７がデータ格納部７に記憶格納される際には、原稿７が作成される編集作業で使用されたデータ（素材５、テンプレート６、原稿７）に付加されたカラースペース変換情報が付加されるように構成することができる。
【０１４８】
拠点Ａ（５１）の発注担当者は、クライアント１２を操作して、データ格納部１０３に格納されるデータ（素材５、テンプレート６、原稿７）をセンタプリンタ２１や印刷機２２に印刷出力させる指示を行う。
【０１４９】
また、拠点Ｂ（５２）の発注担当者は、クライアント１３を操作して、データ格納部１０３に格納されるデータ（素材５、テンプレート６、原稿７）をＰＳプリンタ２３や非ＰＳプリンタ２４に印刷出力させる指示を行う。
【０１５０】
サーバ１００は、クライアント１０やクライアント１２やクライアント１３からデータ格納部１０３に記憶格納されるデータ（素材５、テンプレート６、原稿７）を印刷出力される指示を受け付けると（ステップ４１３）、印刷指示されたデータに対して印刷先に応じた処理を行い、印刷指示されたデータが印刷先で印刷出力される（ステップ４１４）。
【０１５１】
このようにして、サーバ１００は、担当者Ａによって操作されるクライアント１０からアップロードされるデータ（素材５、テンプレート６、原稿７）のカラースペースを、設定されるワークフローに応じて変換して記憶格納し、そして、記憶格納されたデータは編集作業が行われて原稿７が作成され、作成された原稿７が印刷出力される。
【０１５２】
よって、原稿作成時にカラースペースの問題が抽出されるので、原稿作成後の出力の段階で問題が発生して、後戻りすることがない。
【０１５３】
尚、サーバ１００から各印刷装置（センタプリンタ２１、印刷機２２、ＰＳプリンタ２３、非ＰＳプリンタ２４）に対して、サーバ１００でデータに対して付加されるカラースペース変換情報内容として、条件設定で示される番号が意味する内容と、色変換情報の番号が意味する内容と、色変換情報の番号が意味する内容とが送られるように構成されてもよい。
【０１５４】
尚、クライアント１０でオブジェクトのカラースペースが変換されて、変換されたオブジェクト（前述の説明ではオブジェクト１、オブジェクト３）がサーバ１００に送信される際には、最初にステップ４０３でアップロードされたデータでカラースペースの変換の必要のなかったオブジェクト（前述の説明ではオブジェクト２）と変換されたオブジェクト（オブジェクト１、オブジェクト３）とが、ステップ４０３でアップロードされたようにレイアウト画面よりサーバ１００にアップロードされるように構成されてもよい。
【０１５５】
尚、図６を参照して説明した色変換情報で明らかになるカラースペースの種類は、ＲＧＢとＣＭＹＫだけに限られず、よりカラースペース定義の種類（例えば、ｓＲＧＢやＪａｐａｎ  Ｃｏｌｏｒ等）が明らかになるように色変換情報が予め設定されててもよい。例えば、色変換情報の「４」が、データがサーバ１００にアップロードされたときのカラースペース定義の種類がｓＲＧＢであって、そのデータに設定された設定情報で指定されるカラースペース定義の種類がＷｉｄｅＲＧＢであることを示す番号である。
【０１５６】
尚、条件設定で設定されたカラースペースとアップロードされたデータのカラースペースとが異なる場合には、クライアント１０或いはサーバ１００でデータのカラースペースが変換される処理が行われるように説明したが、その場合にカラースペースの変換処理が行われずにカラースペース変換情報として警告色出力という情報が付加されてデータが記憶格納されて、最終的に印刷出力される際に、アップロードされた時のカラースペースと設定情報で設定されたカラースペースとが異なる個所を警告色として所定の色で印刷出力するように構成されてもよい。そのように警告色で出力される際には、サーバ１００にアップロードされた時のカラースペースと設定情報で設定されたカラースペースと異なる個所が出力先の印刷装置でカラースペース変換されて印刷出力されてもよい。
【０１５７】
尚、条件設定で設定されたカラースペースとアップロードされたデータのカラースペースとが異なる場合には、クライアント１０或いはサーバ１００でデータのカラースペースが変換される処理が行われるように説明したが、その場合にカラースペースの変換処理が行われずに、最終的に印刷出力される際に、アップロードされた時のカラースペースと設定情報で設定されたカラースペースとが異なる個所を出力先である印刷装置でカラースペースの変換が行われて印刷出力されてもよい。
【０１５８】
尚、条件設定で設定されたカラースペースとアップロードされたデータのカラースペースとが異なる場合には、クライアント１０或いはサーバ１００でデータのカラースペースが変換される処理が行われるように説明したが、その場合にカラースペースの変換処理が行われずに、アップロードされた時のカラースペースと同じカラースペースに適応している印刷装置をサーバ１００が有する印刷装置情報から選択して、その印刷装置を出力先として指摘する警告表示をクライアント１０にするように、サーバ１００が構成されてもよい。その際、サーバ１００は、印刷装置情報として、印刷出力先となるセンタプリンタ２１、印刷機２２、ＰＳプリンタ２３、非ＰＳプリンタ２４が対応しているカラースペースの情報を有する。また、その際、クライアント１０に行われる警告表示は、図４のステップ４０７の代わりに行われ、その警告表示をクライアント１０の図示しない表示部で確認した担当者Ａは、その警告表示の中で指摘された出力先の印刷装置を新たな出力先とした条件設定を再度ステップ４０１から入力して、データをアップロードさせる処理を行うことができる。
【０１５９】
尚、各印刷装置には印刷に対応している種々のカラースペースがあるが、各印刷装置は、その対応しているカラースペースと自装置が受け付ける印刷データのカラースペースとが異なる場合に、受け付ける印刷データのカラースペースを自装置が対応するカラースペースへカラースペース変換することができる。そのようなカラースペース変換の情報について、サーバ１００は、印刷装置情報として、各印刷装置がカラースペース変換することができるカラースペースの種類を印刷装置毎に記憶している。例えば、サーバ１００は、印刷装置情報として、ＰＳプリンタ２３がＲＧＢであるｓＲＧＢからＣＭＹＫであるＪａｐａｎＣｏｌｏｒへのカラースペース変換と、ＲＧＢであるＷｉｄｅＲＧＢからＣＭＹＫであるＪａｐａｎＣｏｌｏｒへのカラースペース変換をすることができると記憶している。そして、サーバ１００において、条件設定で設定されたカラースペースとアップロードされたデータのカラースペースとが異なる場合にはクライアント１０或いはサーバ１００でデータのカラースペースが変換されるように説明したが（ステップ４０８での処理）、そのように条件設定で設定されたカラースペースとアップロードされたデータのカラースペースとが異なって、且つ出力先となる印刷装置が条件設定で設定されている場合には、サーバ１００は、記憶する印刷装置情報に基づき条件設定で設定された出力先の印刷装置でカラースペース変換可能なカラースペースの種類を確認して、アップロードされたデータのカラースペースがその出力先の印刷装置で対応可能なカラースペースへカラースペース変換されることがその印刷装置で可能であることを判定すると、カラースペース変換可能と判定されたカラースペース変換の情報（変換後のカラースペースの情報）をカラースペース変換情報として印刷データに付加し、印刷データのカラースペース変換がサーバ１００やクライアント１０で行われないように構成してもよい。その際には、変換後のカラースペースの情報が印刷データに付加されるので、印刷データが出力先の印刷装置に送られると、その印刷装置が付加された変換後のカラースペースの情報を読み取って、その印刷装置で印刷データのカラースペースの変換が行われる。
【０１６０】
尚、印刷装置情報は、サーバ１００のデータ格納部１０３に記憶格納される。
【０１６１】
尚、条件設定で設定されたカラースペースとアップロードされたデータのカラースペースとが異なる場合には、クライアント１０或いはサーバ１００でデータのカラースペースが変換される処理が行われるように説明したが（ステップ４０８での処理）、そのような場合にサーバ１００は、アップロードされたデータのカラースペースを変換する処理を行わずに、条件設定で設定されたカラースペースに変換するためのルックアップテーブルを作成して、作成したルックアップテーブルをデータに付加するように構成されてもよい。このように構成されることにより、条件設定で設定される出力先が複数の場合で変換後のカラースペースが複数になっている場合に、サーバ１００がアップロードされたデータを記憶格納する際にはそのデータのカラースペース変換が行われずに複数のルックアップテーブルがそのデータに付加されて記憶格納され、サーバ１００がクライアント１０或いはクライアント１２或いはクライアント１３から指示を受け付けて出力先が明確になった時点で、記憶格納されるデータがその明確になった出力先に応じて、そのデータに付加されたルックアップテーブルに基づいてカラースペース変換が行われる。このような構成により、条件設定で複数の出力先が設定された場合に複数のカラースペース変換されたデータを記憶格納する必要がなく、また、出力先が明確になった時点で出力先に応じたカラースペース変換が行われるので出力環境が変化した場合にもルックアップテーブルを作成することなくすぐに最適に出力することができる。尚、サーバ１００がアップロードされたデータのカラースペースを変換する処理を行わずに条件設定で設定されたカラースペースに変換するためのルックアップテーブルを作成してデータに付加した場合に、そのデータの出力先が決まって出力先に送られた後に、その出力先で、データに付加されたルックアップテーブルが使用されてデータのカラースペースの変換が行われてもよい。
【０１６２】
尚、拠点Ａのクライアント１２からサーバ１００にセンタプリンタ２１や印刷機２２を出力先とする印刷指示が行われるように説明したが、拠点Ａのクライアント１２からサーバ１００にＰＳプリンタ２３や非ＰＳプリンタ２４を出力先とする印刷指示が行われ、その印刷出力が行なわれてもよい。また、拠点Ｂのクライアント１３からサーバ１００にＰＳプリンタ２３や非ＰＳプリンタ２４を出力先とする印刷指示が行われるように説明したが、拠点Ｂのクライアント１３からサーバ１００にセンタプリンタ２１や印刷機２２を出力先とする印刷指示が行われ、そのような印刷出力が行なわれてもよい。
【０１６３】
尚、クライアント１０或いはクライアント１２或いはクライアント１３からサーバ１００に出力先が指定された印刷指示が行われると、印刷指示されたデータ（格納部１０３に記憶格納されている）の印刷データ（印刷出力される為に画像データが印刷装置に送られる場合の画像データは、印刷出力される為に印刷装置に送られるデータであるので印刷データと呼ぶ）が指示された出力先に送られるが、その印刷データには格納部１０３に記憶格納されたときに付加されたカラースペース変換情報の条件設定が付加されるようにして、その印刷データを受信した印刷装置が、付加された条件設定で設定されるカラースペースに対応していない場合には、その印刷装置或いはサーバ１００で警告表示（条件設定で設定されたカラースペースに出力先の印刷装置が対応していない警告の表示）を表示するように構成されてもよい。その際、予めサーバ１００から印刷装置（センタプリンタ２１、印刷機２２、ＰＳプリンタ２３、非ＰＳプリンタ２４）宛に条件設定の番号に対応する条件設定の内容の情報が送られるように構成される。このように構成されることにより、印刷装置での最終的な出力ミスを防止できる。また、条件設定が付加された印刷データを受信した印刷装置が、付加された条件設定で設定されるカラースペースに対応していない場合には、その印刷装置がサーバ１００に対して警告表示（条件設定で設定されたカラースペースに出力先の印刷装置が対応していない警告の表示）を行う指示を送り、サーバ１００で警告表示が表示される。
【０１６４】
尚、ステップ４０８での処理として、カラースペースが変換されるデータ変換の処理や、カラースペースの変換が行われずにカラースペース変換のためのルックアップテーブルが作成されてデータに付加される処理や、印刷装置で変換可能な変換のカラースペース変換の情報がデータに付加される処理を説明したが、このような３つの処理は出力先となる印刷装置に応じて切り替えられるように構成されてもよい。そのように構成される際には、印刷装置情報として予め印刷装置に対応して行われる処理（前述のステップ４０８での処理として説明した３つの処理のいずれか）がサーバ１００のデータ格納部１０３に記憶格納されている。
【０１６５】
尚、サーバ１００のデータ格納部１０３に記憶格納されたデータ（素材５、テンプレート６、原稿７）の出力先は、印刷装置に限定されず、モニタであってもよく、モニタの場合も印刷装置と同様に印刷装置情報の代わりにモニタ情報がサーバ１００に記憶格納され、また、印刷装置で行われるカラースペースの変換等の処理がモニタで同様に行われてもよい。
【０１６６】
尚、本発明の画像形成管理プログラムを通信手段で提供することはもちろん、ＣＤ−ＲＯＭ等の記録媒体に記録して提供することもできる。
【産業上の利用可能性】
【０１６７】
この発明は、画像形成システムおよび画像形成管理装置および画像形成管理プログラムにおいて利用可能である。
【符号の説明】
【０１６８】
１    印刷システム
５    素材
６    テンプレート
７    原稿
１０、１２、１３    クライアント
２１    センタプリンタ
２２    印刷機
２３    ＰＳプリンタ
２４    非ＰＳプリンタ
１００    サーバ
１０１    条件設定部
１０２    データ制御部
１０３    データ格納部
１０４    レイアウトＵＩ部
１０５    原稿生成部
【図１】
2012231243.tif 000003
【図２】
2012231243.tif 000004
【図３】
2012231243.tif 000005
【図４】
2012231243.tif 000006
【図５】
2012231243.tif 000007
【図６】
2012231243.tif 000008